(57)【要約】【課題】  電磁波などの環境的要因を除去して所望の脳波に誘導することの可能な、電磁波遮断機能を有する超低周波発生装置を提供する。【解決手段】  既存の電源接地の有無を検出すると共に接地機能を行う電源接地検出部１０と、電源接地検出部１０の接地状態が確認されるとδ波又はα波を発生させる超低周波発生制御部２０と、超低周波発生制御部２０から発生するδ波又はα波を選択的に人体に誘起する超低周波誘導用伝導性体３０とを設け、周辺電磁波の影響が原因で発生する脳波の散乱を上記の接地装置で防止できるようにした。【選択図】    図１
2004223250.tif 000002
【特許請求の範囲】
【請求項１】
既存の電源接地の有無を検出すると共に接地機能を行う電源接地検出部と、
前記電源接地検出部の接地状態が確認されるとδ波又はα波を発生させる超低周波発生制御部と、
前記超低周波発生制御部から発生する前記δ波又はα波を選択的に人体に誘起する超低周波誘導用伝導性体と、
を含むことを特徴とする電磁波遮断機能を有する超低周波発生装置。
【請求項２】
δ波又はα波を発生させる超低周波発生制御部と、
前記超低周波発生制御部から発生する前記δ波又はα波を選択的に人体に誘起する超低周波誘導用伝導性体と、
前記超低周波発生制御部の接地のための地面の間接接地機能を付与する間接接地検出部と、
を含むことを特徴とする電磁波遮断機能を有する超低周波発生装置。
【請求項３】
前記間接接地検出部と前記超低周波誘導用伝導性体の間で絶縁機能を行う絶縁物質と共に一体に構成されることを特徴とする請求項２記載の電磁波遮断機能を有する超低周波発生装置。
【請求項４】
前記間接接地検出部に地面の接地のために接続される別の補助接地手段が追加接続されることを特徴とする請求項２または３に記載の電磁波遮断機能を有する超低周波発生装置。
【発明の詳細な説明】
【技術分野】
【０００１】
本発明は、電磁波遮断機能を有する超低周波発生装置に関する。
【背景技術】
【０００２】
人間の脳は、約１４０億個の脳細胞で構成されており、このような脳細胞は外部の感覚器官（目、耳、鼻、口、肌など）から受けた情報を処理する過程で電流を発生させる。それを脳波という。脳波は形成時点を基準としてα波（約８〜１２Hz）、β波（約１３〜３０Hz）、δ波（約１〜３Hz）、θ波（約４〜７Hz）などに分けられる。α波は瞑想脳波であって、例えば安静時や精神的負荷が少ない時などに現れ、β波は活動脳波であって一般的に緊張している時に現れ、δ波は睡眠脳波であって睡眠の時に現れる。したがって、現在の脳波の周波数でその人の意識状態を把握することができる。一方、外部から超低周波（ＥＬＦ）が発生すると、脳波がその超低周波に容易に同調してしまうので、外部から脳波を変えることができる。このような脳波誘導信号発生と関連して様々なモジュールが開発されている。具体的には例えば、音、光、振動などの直接的な要因で目や耳を通じて一定時間だけ脳波を誘導する製品が提供されている。
【発明の開示】
【発明が解決しようとする課題】
【０００３】
しかし、上記製品は音や振動又は光を利用して脳波を誘導するもので、高コストであり、別途の時間を確保して使用しなければならないという不便さがあった。また、電磁波のような環境的要因によっても脳波は誘導されるため、電磁波等の影響により所望の脳波に誘導できない場合があった。
【０００４】
そこで、本発明は、このような問題に鑑みてなされたもので、その目的とするところは、環境的要因を除去して所望の脳波に誘導することの可能な、電磁波遮断機能を有する超低周波発生装置を提供することにある。
【課題を解決するための手段】
【０００５】
上記課題を解決するために、本発明のある観点によれば、既存の電源接地の有無を検出すると共に接地機能を行う電源接地検出部と、電源接地検出部の接地状態が確認されるとδ波又はα波を発生させる超低周波発生制御部と、超低周波発生制御部から発生するδ波又はα波を選択的に人体に誘起する超低周波誘導用伝導性体と、を含むことを特徴とする電磁波遮断機能を有する超低周波発生装置が提供される。
【０００６】
上記発明によると、電源接地検出部は、建物に伝導性体で連結された直接接地線、又は電源コンセントの接地線の接地有無を確認した後、接続ジャックとして使用されうる。超低周波発生制御部は、接地検出部の接地、又はＤＣ電源を含む接地に連結され、マイクロコンピュータを用いて選択スイッチの入力を受けてδ波（約０〜４Hz）、α波（約８〜１２Hz）などの動作状態をＬＣＤとＬＥＤの表示部に表示できる。マイクロコンピュータからのデジタル周波数出力信号は、例えば、積分回路を経て所望の強さの周波数になり、この出力信号は約１〜４倍の増幅回路を経て出力ジャックに連結されうる。制御部は、内部のバッテリー又は外部のＤＣ電源の供給を受けて動作し、動作時には最少の消費電力で動作できるようにして、電池で一ヶ月以上連続使用することができる。超低周波出力信号は、超低周波誘導用伝導性体に連結転移することにより、人体に接触されるか近接されるときに人体に誘起され、脳波を所望する周波数に同調できるように構成される。
【０００７】
上記構成によれば、最小の構成で、周辺電磁波の影響が原因で発生する脳波の散乱を接地装置で防止することができ、ユーザの要求に合わせた超低周波を人体に誘起して脳波を同調させることにより、δ波で深い睡眠をとり、α波で集中力を強化して学習効果を高めることができる。また、例えば、風水では寝室など睡眠をする場所の地下に水脈が通っていると水脈の干渉で深い睡眠(熟眠)がとれないといわれているが、その場合であっても、水脈波より強いδ波（睡眠誘導波）を脳波に同調させることにより、脳波は強い方に同調するので、水脈の干渉を排除することができる。
【０００８】
上記課題を解決するために、本発明の別の観点によれば、δ波又はα波を発生させる超低周波発生制御部と、超低周波発生制御部から発生するδ波又はα波を選択的に人体に誘起する超低周波誘導用伝導性体と、超低周波発生制御部の接地のための地面の間接接地機能を付与する間接接地検出部と、を含むことを特徴とする電磁波遮断機能を有する超低周波発生装置が提供される。
【０００９】
上記発明によれば、上記間接接地検出部は建物の底を通る間接接地のための接続ジャックとして使用されうる。上記構成によれば、周辺電磁波の影響が原因で発生する脳波の散乱を接地装置で防止することができ、ユーザの要求に合わせた超低周波を人体に誘起して脳波を同調させることにより、δ波で深い睡眠をとり、α波で集中力を強化して学習効果を高めることができる。また、例えば、風水では寝室など睡眠をする場所の地下に水脈が通っていると水脈の干渉で深い睡眠(熟眠)がとれないといわれているが、その場合であっても、水脈波より強いδ波（睡眠誘導波）を脳波に同調させることにより、脳波は強い方に同調するので、水脈の干渉を排除することができる。
【００１０】
上記超低周波発生装置は、間接接地検出部と超低周波誘導用伝導性体の間で絶縁機能を行う絶縁物質と共に一体に構成されてもよい。
【００１１】
絶縁物質としては、圧縮真綿の層や、これに相応する物質が適用可能である。
【００１２】
上記超低周波発生装置は、間接接地検出部に地面の接地のために接続される別の補助接地手段が追加接続されてもよい。
【００１３】
以上より、本発明によれば、電磁波等の環境的要因を除去し人体の生活リズムを取り戻す環境を作り出すことができる。また、脳波を安定化させて熟眠を誘導し、さらに集中力を向上させることができる。また、別途の時間を確保する必要がなく日常生活の中で使用可能な、環境親和的な、電磁波遮断機能を有する超低周波発生装置を提供することができる。
【発明の効果】
【００１４】
以上説明したように本発明によれば、環境的要因を除去して所望の脳波に誘導することの可能な、電磁波遮断機能を有する超低周波発生装置を提供することができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１６】
（第１実施形態）
図１は、本発明にかかる電磁波遮断機能を有する超低周波発生装置の一例を示すブロック図である。同図に示すように、第１実施形態にかかる超低周波発生装置は、例えば、電源接地検出部１０と、超低周波発生制御部２０と、超低周波誘導用伝導性体３０などとを備える。電源接地検出部１０は電源コンセントによる直接接地を行うことができる。
【００１７】
超低周波発生制御部２０では、検出された接地点を基準とした超低周波を発生させ超低周波誘導用伝導性体３０にて誘起し、周辺環境に起因した有害電磁波を接地によって濾過することにより必要な電磁波だけを体に誘起する。
【００１８】
図３は、図１及び後述する図２に示す超低周波発生制御部２０の細部ブロック図の一例を示す。また図４は、超低周波発生制御部２０の細部回路図の一例を示す。以後、図３および図４を参照して説明する。入力ジャック２１は接地と電源の入力接続部であって、回路図のＤＣ  ＩＮＰＵＴジャックに接続される。外部電源が接続されると、内部バッテリー２６は遮断され、電源スイッチ２７(図４においてはＳＷ１)を経てマイクロコンピュータ２３に電源が供給される。
【００１９】
選択スイッチ２４は、回路図のＦＵＬＬ ＵＰ抵抗Ｒ１と並行してＴＯＵＣＨスイッチＳＷ２を用いて、マイクロコンピュータがプッシュスイッチ選択（α波、δ波、動作停止）の入力を受け、選択された周波数をプログラム処理する。
【００２０】
動作検出部２５は、回路図のＲ１２と接続されたＬＤ１又はＲ１３と接続されたＬＤ２により、選択スイッチＳＷ２の入力を表示し、Ｒ３、Ｒ４、Ｒ５、Ｒ６と接続されたＬＣＤにより、α波、δ波の動作とバッテリー状態を確認できるようにする。マイクロコンピュータの作動時に選択された周波数のディジタル信号は、Ｒ１１とＣ４、Ｃ５の組み合わせで構成される積分回路を経て所望の波形になり、この波形が適正レベルの強さに増幅され、その後、出力ジャック２２に接続される。
【００２１】
ここで、α波（約８〜１２Hz）の周波数を作り出すときは、Ｒ１１とＣ４だけを用いる。さらに低い周波数（約１〜８Hz）を作り出すときは、例えば、Ｒ１１とトランジスタ(transistor)Ｑ１のロジックコントロール(logic control)を用いてコンデンサーＣ５をＣ４と並列で追加接続して所望の波形を作り出すことができる。
【００２２】
マイクロコンピュータのＡ３は、バッテリーの電圧をチェックするための基準電圧を設定するためのもので、Ｒ９、Ｒ１０、ＺＤ１、Ｃ３などから構成される。一方、マイクロコンピュータのＡ２は、Ｒ７とＲ８の分配電圧の入力を受け、内蔵されたＡ／Ｄコンバーター機能でＶＣＣの変化を感知し、バッテリーの状態を認識して初期電源をＯＮにしたり、動作終了後一定時間ＬＣＤ液晶板にバッテリーの残量を表示する。
【００２３】
ＢＵＺ１はスイッチのプッシュと、例えば後述する蚊退治用超音波信号の発散とに使用され、Ｙ１はマイクロコンピュータのオシレータ(oscillator)である。
【００２４】
図５は、図１の電源接地検出部１０の細部回路の例を示す。電源コンセントの接地線の接地有無を確認し、接地線を含む１つ以上の接続ジャック（JK１…JKｎ）から構成される。同図において、回路のＡとＢは供給されるＡＣ電源であり、Ｃは接地線であり、Ｒ１、Ｒ２、Ｒ３は電圧降下素子であり、Ｄ１、Ｄ２は整流ダイオードであってＤＣに変換する。Ｃが接地に接続されていると、ＬＥＤ１がＯＮになっていて接地が確認される。一方、Ｃが接地で接続されていないと、ＬＥＤ１がＯＦＦになっていて非接地が確認される。また、接地接続ジャック（JK１…JKｎ）に接地されていない家庭製品や電気製品に接続すると、電磁波を遮断する用途としても使用可能である。
【００２５】
図６は、図１の電源接地検出部１０の細部回路の別の例であって、電源コンセントの接地線の接地有無を確認し、電源装置を含む接続ジャックから構成される。同図において、回路のＡとＢは供給されるＡＣ電源であり、Ｃは接地線であり、Ｒ１、Ｒ２は電圧降下素子であり、Ｄ１、Ｄ２は整流ダイオードであってＤＣに変換する。Ｃが接地で接続されていると、ＬＥＤ１がＯＮになっていて接地が確認される。一方、Ｃが接地で接続されていないと、ＬＥＤ１がＯＦＦになっていて非接地が確認される。
【００２６】
トランス(trans)とブリッジダイオードＢＤ１、電解コンデンサーＥＣ１、ＥＣ２、定電圧レギュレイター(regulator)ＶＧ１から構成された回路は、通常の定電圧電源回路として使用されるもので、ＤＣ電源のＧＮＤ端子と電源コンデンサーの接地端子とを接続するだけで、トランスの２次側に誘起されるＡＣ電場を遮断したＤＣ電源だけを接続ジャックによって供給できるようにした電磁波遮断ＤＣ電源装置である。
【００２７】
図７は、図１の電源接地検出部１０の細部回路のまた別の例であって図６とほぼ同一であるが、ＤＣ電源のＶＣＣ端子と電源コンセントの接地端子とを接続することにより、トランスの２次側に誘起されるＡＣ電場を遮断した電磁波遮断ＤＣ電源装置である。
【００２８】
図８は、直接接地面を使用した場合のパッドの断面構成図であって、最上層から下へ、防水布（上板）５０（高級布でもよい）、炭含浸不織布層５２、超低周波発生層５４、圧縮真綿層５６、電磁波吸収層（電磁波吸収不織布）５８、防水布（下板）６０（高級布でもよい）になっている。超音波及び超低周波発生制御部に印加されるＤＣ供給電源線のうち一つの線を電源コンセントの接地線と接続するか、地面についている伝道性体に直接接続して接地電位を検出し、この接地電位を基準電位として超音波、及び、超低周波発生制御部からの所定のレベル（電磁波人体環境基準）以下の超低周波出力信号を、パッドの超低周波発生層５４に印加できるようにした。
【００２９】
図１０は、第１実施形態にかかる、直接接地形式の超低周波発生装置と、後述する第２実施形態にかかる、間接接地形式の超低周波発生装置の双方に用いられるパッドの外形図であり、図１１は第１実施形態の直接接地を用いた場合の構成例を示し、図１２（ａ）〜図１２（ｆ）は第２実施形態の間接接地を用いた場合の製品構成例を示す図である。
【００３０】
図１１に示すように、適用範囲を幼児用寝床、一般寝具類（枕、座布団マット）、足場、人形などに広げ、図８の構成のパッドを製品の下部等に位置させ、パッドの超低周波発生層５４と超低周波発生装置（Control機器）の出力とをコードで連結して超低周波を放射できるようにした。また。超音波及び超低周波発生制御部に印加されるＤＣ供給電源線のうち一つの線を電源コンセントの接地線に接続するか、地面についている伝道性体に直接接続して超低周波発生装置の基準電位となるように構成し、パッドの超低周波発生層５４である伝導性断面体を介して、超低周波を放射パッドの上部、またはパッド付きの製品上に位置した人体に超低周波を誘起して脳波を誘導同調できるように構成した。
【００３１】
（第２実施形態）
図２は、本発明にかかる電磁波遮断機能を有する超低周波発生装置の別の例を示すブロック図である。同図に示すように、第２実施形態にかかる超低周波発生装置は、例えば、第１実施形態にかかる超低周波発生装置と同様に、超低周波発生制御部２０と、超低周波誘導用伝導性体３０とを備え、電源接地検出部１０の代わりに間接接地検出部４０を備える点で第１実施形態にかかる超低周波発生装置と構成が異なる。超低周波発生制御部２０および超低周波誘導用伝導性体３０の構成や機能は第１実施形態とほぼ同様であるため、説明を省略する。間接接地検出部４０は間接接地方式で接地を検出することができる。
【００３２】
図２の超低周波誘導用伝導性体３０及び間接接地検出部４０を点線ブロックと表示したのは、構成体を一体として、本発明の一実施形態のようなパッド形状の一つの製品を構成するからである。
【００３３】
図９は、間接接地面を用いた場合のパッド構成図であって、最上層から下へ、防水布（上板）５０、炭含浸不織布層５２、超低周波発生層５４、圧縮真綿層５６、銅（伝道性）繊維接地層７０、電磁波吸収層（電磁波吸収不織布）５８、防水布（下板）６０になっている。パッドの構成のうち圧縮真綿層５６は絶縁物質の一例であり、銅（伝道性）繊維接地層７０と超低周波発生層５４との間で中間絶縁体として使用される。炭含浸不織布層５２はアニオン及び遠赤外線放射効果を有し、電磁波吸収層５８は高周波数吸収機能と抗菌及び脱臭効果を有する。
【００３４】
図１２（ａ）〜図１２（ｆ）に示すように、適用範囲を幼児用寝床、一般寝具類（枕、座布団マット）、足場、人形、酸素発生器と結合した座布団又は足場などに広げ、図９の構成のパッドを、製品の下部等に位置させ、パッドの超低周波発生層５４と超低周波発生装置（Control機器）の出力とをコードで連結し、超低周波を放射できるようにした。また、超音波及び超低周波発生制御部に印加されるＤＣ供給電源線のうち一つの線はパッドの銅（伝道性）繊維接地層７０と接続される。地面又は地面と接続された伝導性物質の上部にパッド又はパッド付きの製品において、超低周波発生層５４を上層に、銅（伝道性）繊維接地層７０を下層にそれぞれ位置させると、銅（伝道性）繊維接地層７０は間接接地面となり、超低周波発生の基準電位となる。これを基準電位として超音波及び超低周波発生制御部（Control機器）から生成された超低周波である所定レベル（電磁波の人体環境基準）以下の出力信号を、伝道性体からなるパッドの超低周波発生層５４に印加し、間接接地面を基準電位とした超低周波をパッドの超低周波発生層５４である銅（伝道性）繊維断面体を通じて放射し、パッド又はパッド付きの製品の上部に人体が位置するとき、人体に超低周波を誘起するように構成した。
【００３５】
図１２において、本発明を適用した幼児用寝床（ベビー布団）又は座布団を椅子やベッドに使用した場合は、間接接地ができないことがある。この場合には、間接接地検出部４０に接地可能な別の補助手段の接地端子を接続して、該接地端子が接地機能を行えるようにした追加構成も可能である。
【００３６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００３７】
例えば、上記実施形態における超低周波発生装置に、蚊の活動時期の吸血蚊は交尾を終えたメスの蚊で、オスの蚊は交尾後のメスの蚊に嫌われてしまうという習性に着目して、オスの蚊の独特な超音波（１２KHz〜１７KHz）と天敵であるトンボの羽音（１２０〜１５０Hz）などを交代に発生させれば、家庭や野外で吸血蚊の接近を遮断して人体に害を及ぼすのを防止することができる
【産業上の利用可能性】
【００３８】
本発明は、脳波誘導用超低周波発生装置に適用可能であり、特に、周辺環境からの有害電磁波の干渉を最大限抑制し、脳波を所望する波に同調できるようにした、電子波遮断機能を有する超低周波発生装置に適用可能である。
【図面の簡単な説明】
【００３９】
【図１】本発明の第１実施形態を示すブロック図である。
【図２】本発明の第２実施形態を示すブロック図である。
【図３】第１実施形態と第２実施形態の超低周波発生制御部のブロック図である。
【図４】第１実施形態と第２実施形態の超低周波発生装置制御部を示す回路図である。
【図５】第１実施形態を適用した接地検出部の回路図である。
【図６】第１実施形態を適用した接地検出部にＤＣ電源装置を内蔵した回路図である。
【図７】第１実施形態を適用した接地検出部にＤＣ電源装置を内蔵した別の例示す回路図である。
【図８】第１実施形態（直接接地）を適用したパッドの断面構成図である。
【図９】第２実施形態（間接接地）を適用したパッドの断面構成図である。
【図１０】第１実施形態および第２実施形態のパッドの外形図である。
【図１１】第１実施形態を適用した製品の構成例である。
【図１２ａ】第２実施形態をベビー布団に適用した製品の構成例である。
【図１２ｂ】第２実施形態を座布団に適用した製品の構成例である。
【図１２ｃ】第２実施形態を枕に適用した製品の構成例である。
【図１２ｄ】第２実施形態を椅子に適用した製品の構成例である。
【図１２ｅ】第２実施形態を足場に適用した製品の構成例である。
【図１２ｆ】第２実施形態を酸素発生機に適用した製品の構成例である。
【符号の説明】
【００４０】
１０    電源接地検出部
２０    超低周波発生制御部
２１    入力ジャック（接地及び電源入力）
２２    出力ジャック（超低周波出力）
２３    マイクロコンピュータ
２４    選択スイッチ
２５    動作検出部
２６    バッテリー
２７    電源スイッチ
２８    超音波発生部
２９    出力増幅部
３０    超低周波誘導用伝道性体
４０    間接接地検出部
５０    防水布（上板）
５２    炭含浸不織布
５４    超低周波発生層
５６    圧縮真綿層
５８    電磁波吸収層
６０    防水布（下板）
７０    銅（伝道性）繊維接地層
【図１】
2004223250.tif 000003
【図２】
2004223250.tif 000004
【図３】
2004223250.tif 000005
【図４】
2004223250.tif 000006
【図５】
2004223250.tif 000007
【図６】
2004223250.tif 000008
【図７】
2004223250.tif 000009
【図８】
2004223250.tif 000010
【図９】
2004223250.tif 000011
【図１０】
2004223250.tif 000012
【図１１】
2004223250.tif 000013
【図１２ａ】
2004223250.tif 000014
【図１２ｂ】
2004223250.tif 000015
【図１２ｃ】
2004223250.tif 000016
【図１２ｄ】
2004223250.tif 000017
【図１２ｅ】
2004223250.tif 000018
【図１２ｆ】
2004223250.tif 000019